(57)【要約】【課題】機械的強度は高く、可視光を良好に放射できるとともに、反射鏡内部を効果的に冷却できる光源装置を提供することである。【解決手段】高圧放電ランプ１０と凹面反射鏡２０よりなる。凹面反射鏡２０は、銅、鉄あるいはこれらの合金よりなる基体と、この基体の内表面に設けられた熱線吸収機能と反射面平滑機能を有する中間層４０と、この中間層４０上に設けられた誘電体多層膜よりなる可視光反射層５０からなり、高圧放電ランプ１０の封止部１２近傍に配置された冷却部３１と、この冷却部に繋がって凹面反射鏡の内部に取り付けられたし支持部３２よりなる封止部冷却手段３０を有することを特徴とする。【選択図】          図１
2006019150.tif 000002
【特許請求の範囲】
【請求項１】
高圧放電ランプと、この高圧放電ランプを取り囲む凹面反射鏡よりなる光源装置において、
前記凹面反射鏡は、金属製の基体と、この基体の内表面に設けられた熱線吸収機能と反射面平滑機能を有する中間層と、この中間層上に設けられた誘電体多層膜よりなる可視光反射層からなり、
前記高圧放電ランプの封止部近傍に配置された冷却部と、この冷却部に繋がって当該凹面反射鏡の内部に取り付けられた支持部よりなる封止部冷却手段を有することを特徴とする光源装置。
【請求項２】
前記中間層は、銅の酸化物を含有する熱吸収層と、この熱吸収層の上に重なるように形成されたガラス質層からなることを特徴とする請求項１の光源装置。
【請求項３】
前記高圧放電ランプは、放電容器内に０．１５ｍｇ／ｍｍ３以上の水銀が封入されることを特徴とする請求項１記載の光源装置。
【請求項４】
前記封止部冷却手段の冷却部は、前記高圧放電ランプの陰極側の封止部に配置したことを特徴とする請求項１記載の光源装置。
【請求項５】
前記封止部冷却手段の冷却部は、前記高圧放電ランプの陰極に相当する位置に配置することを特徴とする請求項４記載の光源装置。
【請求項６】
前記封止部冷却手段の冷却部は、前記高圧放電ランプの封止部表面と空間的に離れて配置することを特徴とする請求項１記載の光源装置。
【発明の詳細な説明】
【技術分野】
【０００１】
この発明は高圧放電ランプとその凹面反射鏡よりなる光源装置に関する。特に、発光管内に０．１５ｍｇ／ｍｍ３以上の水銀が封入されて点灯時の水銀蒸気圧が超高圧となる超高圧水銀ランプを光源とした液晶ディスプレイ装置やＤＭＤ（デジタルミラーデバイス）を使ったＤＬＰ（デジタルライトプロセッサ）などのプロジェクター装置に使われる光源装置に関する。
【背景技術】
【０００２】
投射型プロジェクター装置は、矩形状のスクリーンに対して、均一にしかも十分な演色性をもって画像を照明させることが要求される。このため、光源としては、水銀や金属ハロゲン化物を封入させたメタルハライドランプが使われている。また、このようなメタルハライドランプも、最近では、より一層の小型化、点光源化が進められ、また電極間距離の極めて小さいものが実用化されている。
【０００３】
このような背景のもと、最近では、メタルハライドランプに代わって、今までにない高い水銀蒸気圧、例えば１５０気圧、を持つランプが提案されている。これは、水銀蒸気圧をより高くすることで、アークの広がりを抑える(絞り込む）とともに、より一層の光出力の向上を図るというものである。
このような超高圧放電ランプは、例えば、特開平２−１４８５６１号、特開平６−５２８３０号、特許第２９８０８８２号に開示されている。
【０００４】
一方、プロジェクター装置に使用する光源装置は、光源ランプからの放射光を光軸方向に効率よく反射させて、液晶表示パネルなどの被照射領域に照射する必要がある。光源装置は、通常、ショートアーク型放電ランプと、この放電ランプから放射される光を平行光に変換するための凹面反射鏡が採用される。
近年、液晶プロジェクター装置やＤＭＤを使ったＤＬＰ装置は小型化が強く求められ、これに応じて、光源装置も小型化が求められている。また、被照射物である液晶表示パネル自体も小型化されていることも、光源装置の小型化が要請される理由の一つである。
【０００５】
光源装置は、以下の性能が強く求められる。
第一に、反射鏡自身の強度が高いことである。放電ランプは点灯時の内圧が超高圧（例えば、１５０気圧以上）であるから、万一、放電ランプが破損した場合に、その影響が光源装置外部に及ばないようにするためである。
第二に、反射鏡およびその内部の放電ランプを良好に冷却できることである。放電ランプの点灯時温度が極めて高いことから反射鏡も極めて高温になるからである。従って、反射鏡の熱伝導度を高くするとともに、反射鏡の外部に冷却風を当てることで内部を容易に冷却できることが必要になる。
【特許文献１】特開平２−１４８５６１号
【特許文献２】特開平６−５２８３０号
【特許文献３】特許第２９８０８８２号
【発明の開示】
【発明が解決しようとする課題】
【０００６】
この発明が解決しようとする課題は、上記３つの要求を全て満たす光源装置を提供することである。
【課題を解決するための手段】
【０００７】
上記課題を解決するために、この発明の光源装置は、高圧放電ランプとこの高圧放電ランプを取り囲む凹面反射鏡よりなる。そして、凹面反射鏡は、金属（例えば、銅、鉄あるいはこれらの合金）よりなる基体と、この基体の内表面に設けられた熱線吸収機能と反射面平滑機能を有する中間層と、この中間層上に設けられた誘電体多層膜よりなる可視光反射層からなり、前記高圧放電ランプの封止部近傍に配置された冷却部と、この冷却部に繋がって凹面反射鏡の内部に取り付けられたし支持部よりなる封止部冷却手段を有することを特徴とする。
【０００８】
また、中間層は、銅の酸化物を含有する熱吸収機能と、反射面を形成し平滑機能を具えたガラス質層からなることを特徴とする。
また、高圧放電ランプは、放電容器内に０．１５ｍｇ／ｍｍ３以上の水銀が封入されることを特徴とする。
また、封止部冷却手段の冷却部は、前記高圧放電ランプの陰極側の封止部に配置したことを特徴とする。
また、封止部冷却手段の冷却部は、前記高圧放電ランプの陰極に相当する位置に配置することを特徴とする。
また、封止部冷却手段の冷却部は、前記高圧放電ランプの封止部表面と空間的に離れて配置することを特徴とする。
【発明の効果】
【０００９】
本発明の光源装置は、反射鏡の基体金属を金属によって構成することで、機械的強度を高めて耐破損性を向上できるとともに、反射鏡内部を概略密閉構造にしても効果的に冷却することができる。金属としては、銅、鉄あるいはこれらの合金を採用できる。
また、反射鏡内部にシリカを主成分とする中間層を設けることで可視光反射層を反射鏡の基体金属に密着することができる。従って、反射特性のあまり高くない銅、鉄あるいはこれらの合金を基体金属として採用しても十分な可視光を放射することが可能となり、プロジェクター装置に好適に採用することができる。
また、放電ランプの封止部、特に陰極側封止部には封止部冷却手段が設けられるので、放電ランプで発生する高熱を冷却手段により伝導させて凹面反射鏡で効果的に冷却することができる。
【発明を実施するための最良の形態】
【００１０】
図１は本発明の光源装置を説明するための概略構成図を示す。
光源装置は、ショートアーク型超高圧放電ランプ１０（以後、単に「放電ランプ」ともいう）と、この放電ランプ１０を取り囲む凹面反射鏡２０より構成され、凹面反射鏡２０の光軸Ｌと放電ランプ１０のアーク方向がほぼ一致するとともに、放電ランプ１０のアーク輝点が凹面反射鏡２０の第一焦点に一致するように配置されている。
【００１１】
放電ランプ１０の放電容器は、大略球状の発光部１１と、この発光部１１の両端に続くロッド状の封止部１２ａ、１２ｂより構成されており、発光部１１内には一対の電極が対向配置している。放電ランプ１０の封止部１２ａは凹面反射鏡２０の頂部２１の開口に挿入されて、封止部１２ａの先端の口金が接着剤１３を介して凹面反射鏡２０の頂部２１に取り付けられている。封止部１２ａの先端からは給電リード１４ａが突出しており、給電線１５ａを介して図示略の給電装置と電気的に接続される。一方、封止部１２ｂ側にも先端に給電リード１４ｂが突出しており給電線１５ｂが凹面反射鏡２０の開口を介し外部に伸びて給電装置に接続する。
凹面反射鏡２０の頂部２１の外側には、例えば、セラミックス材料などから構成される支持部材１６が配置されており、凹面反射鏡２０は接着剤により支持部材１６に固定される。
凹面反射鏡２０は、後述するが、銅（Ｃｕ）、鉄（Ｆｅ）などの金属より構成される。
【００１２】
図２は図１のＡ−Ａ断面図を示す。図１と図２より封止部冷却手段３０について説明する。封止部１２ｂには、支持部３１と冷却部３２より構成される封止部冷却手段３０が取り付けられる。
封止部冷却手段３０は、銅などの金属部材もしくは窒化アルミニウムなどのセラミックスよりなり、支持部３１の先端は凹面反射鏡２０の内面に、溶接やネジ止めにより接合している。
支持部３１の他端にはリング状の冷却部３２を有する。冷却部３２は、封止部１２ｂの高熱を輻射により吸収するもので、支持部３１、凹面反射鏡２０を介して放熱することができる。凹面反射鏡２０の外面には冷却ファンなどにより強制空冷される。
【００１３】
冷却部３２はリング状である必要はなく、封止部１２ｂを効果的に冷却できれば形状、構造に限定されるものではない。しかし、図示のように封止部１２ｂから空隙を設けるよう構成することで、封止部１２ｂが過度に冷却されてしまうことを防止できる。また、放電ランプ１０は、本来、光軸Ｌに一致するように設計されて凹面反射鏡２０に取り付けられるが、実際には、放電ランプ１０が光軸Ｌから傾いて取り付けられることもあり、この場合に冷却部３２をリング状にするとともに封止部１２ｂとの間に空隙を設けることは利点がある。
ここで、通常、凹面反射鏡はガラスで構成されるため、金属部材からなる支持部材を接合することは容易なことではない。一方、本願発明では、凹面反射鏡２０が金属部材から構成されることから、支持部３１を凹面反射鏡２０の内面に接合することが可能となり、これにより、放電ランプの封止部を極めて効率よく冷却することができる。
封止部冷却部材３０について、数値例を紹介すると、支持部３１は厚さ０．５ｍｍ、冷却部３２は厚さ０．５ｍｍ程度である。
【００１４】
凹面反射鏡２０は全体が概略お椀状の楕円集光鏡であって、頂部２１と反射部２２と前面開口部２３より構成される。反射部２２の内面には、後述する中間層４０と可視光反射層５０が形成されており、所望の可視波長域の光を反射するとともに、それ以外の光、例えば赤外光を透過させて反射部２２に吸収される。
前面開口部２３には、例えば、ホウ珪酸ガラスなどからなる光透過性の前面ガラス２４２３が枠部材２５を介して装着される。
前面ガラス２４を設けることで凹面反射鏡２０の内部をほぼ密閉構造にできる。このため、万一、放電ランプ１０が破損した場合などにおいて、破片が散乱することを防止できる。
前面ガラス２４を設けると、凹面反射鏡２０の内部はより高温となり、また、反射鏡内部に直接冷却風を供給することが困難となる。この点において、本願発明のように封止部冷却手段を設けることは大きな技術的意義を有する。
なお、凹面反射鏡の外部であって、凹面反射鏡の前面に実質的に前面ガラスに相当する光学部材が配置される場合などは、当該反射鏡に前面ガラスを取り付ける必要はない。
さらに、前面ガラス２４を取り付ける場合に、反射鏡２０の内部を完全に密閉構造とするのではなく、一部に冷却用開口を設けることもできる。この冷却用開口は、例えば枠部材２５に形成したり、反射部２２の一部に切り欠きとして設けることもできる。
【００１５】
凹面反射鏡２０は、銅（Ｃｕ）により構成したり、鉄（Ｆｅ）により構成したり、あるいはこれらの合金より構成される。通常、プロジェクター装置に使われる反射鏡のようにホウ珪酸ガラス、結晶化ガラス、セラミックス材料から構成されるものとは相違している。
また、凹面反射鏡２０の反射部２２の内面には、可視光反射層５０がコーティングされており、可視光反射層５０と反射部２２の間に中間層４０が設けられる。
放熱効果を期待する場合には、鉄より銅により凹面反射鏡を構成することが好ましい。
【００１６】
凹面反射鏡２０を銅、鉄あるいはこれらの合金より構成する理由は、第一に反射鏡の強度を強くするためである。凹面反射鏡２０をこれら金属により構成することで、万一、放電ランプが破損した場合にも反射鏡自体が連鎖的に破損することを防止できる。また、放電ランプの破片や残骸を反射鏡内部で確保できるとともに、反射鏡外部に配置する他の周辺機器への悪影響を防止できる。特に、前記したように前面ガラスを設けて密閉タイプを形成する光源装置の場合は、凹面反射鏡内部が高温になりやすいため、反射鏡の機械的強度を高めて破損対策を強めることは大きな意味がある。
銅合金について、一例をあげると、銅−亜鉛（Ｃｕ―Ｚｎ）系合金、銅−ニッケル系合金（Ｃｕ−Ｎｉ）系合金、銅−ニッケル−亜鉛系合金（Ｃｕ−Ｎｉ−Ｚｎ）などが採用できる。
鉄合金について、一例をあげると、ステンレス鋼（オーステナイト系、フェライト系、マルテンサイト系）、クロムモリブデン鋼などが採用できる。
【００１７】
銅、鉄あるいはこれらの合金は、一般的特性として反射特性が優れておらず、また、反射膜を直接塗布したり、コーティングを施すことが困難である。このため、一般照明やその他の分野においては使用できるかもしれないが、映像表示に使うプロジェクター装置の反射鏡材料としては不向きであるとされてきた。
しかしながら、本発明の光源装置は、熱線吸収機能と反射面平滑化機能を有する中間層を使うということで、従来不向きとされていた問題を解決することができ、反射特性の優れた可視光反射層を極めて精度良くコーティングできるようになったわけである。
つまり、本願発明の光源装置は、中間層の採用という新規な発明とともに、それに併せて反射鏡材料を改良するものであり、これにより、反射特性を衰えさせることなく光取り出し効率を従来レベルに維持できるととともに、かつ、反射鏡の機械的強度を画期的に高めることができ、さらに、凹面反射鏡内部や放電ランプを効果的に冷却できるという点に大きな特徴を有している。
【００１８】
中間層は、例えばシリカを主成分とする材料からなり、凹面反射鏡２０の内表面に形成される。この中間層は、銅、鉄あるいはこれらの合金からなる反射鏡の基体金属と可視光反射層との接合をする接着剤的な役割を担うものである。
【００１９】
具体的には、中間層は、反射鏡を構成する基体金属との接着性向上にあり、基体金属が熱的に膨張や収縮を起こしたとしても、反射鏡内面に形成された各層が影響を受けて、同様に浮き上がったり、剥がれ落ちたりしない。また、金属酸化物を含むことから熱を吸収する機能を持ち、これにより反射鏡に対して冷却風を吹き付けることで当該反射鏡を良好に冷却できるという利点がある。また、可視光反射層を塗布するための下地でもあり、基体金属の種類に関わらず、可視光反射層を塗布させることである。
【００２０】
中間層の膜の厚さは、例えば、１ｍｍ以下とされるが、５００μｍ以下であることが好ましく、特に２００〜３００μｍであることが好ましい。
中間層の厚さが１ｍｍを超えると、中間層を構成する材料と、基体金属を構成する金属との熱膨張率の差に起因して当該中間層にクラックが入るおそれがあるからである。
【００２１】
中間層は、原液を反射鏡内面に塗布したあと、加熱処理および乾燥処理をすることで装着できる。原液は、シリカ（ＳｉＯ２）を主成分として、長石、炭酸カリウム、硝酸ナトリウム、酸化コバルト、酸化ニッケルなどの混合物からなる。この混合物を溶融して、固化することでガラス質フリットを生成することができ、このガラス質フリットを粉砕した後、その粉を水などに混合することで調整される。
反射鏡内面への塗布は、例えば、スプレー法、浸漬法（ディッピング法）などにより行なわれる。
【００２２】
ここで、反射鏡の基体金属の候補として、反射特性の優れたアルミニウムも考えられる。しかしながら、アルミニウムは融点が６６０℃程度と、銅、鉄あるいはこれらの合金に比べて極端に低い。このため中間層の加熱温度が当該温度を超えると反射鏡自体の変形を導くことから加熱温度は極端に制限されてしまう。この加熱温度の制限こそが中間層の反射鏡への完全は塗布を妨げる原因となり、歪みや不所望な変形を導いてしまう。
本願発明は、反射鏡の基体金属の材料として、中間層が反射鏡の内面に歪みなどを生じることなく滑らかに形成できるように、高温加熱処理に耐えられる銅、鉄あるいはこれらの合金を採用したことが特徴である。これにより、高い反射特性が確保できるとともに、銅、鉄あるいはこれらの合金の高い熱伝導性により、反射鏡外部の冷却風を流すことによる反射鏡内部の冷却効果は著しく高いものがある。
【００２３】
以上のように本発明の光源装置は、第一に反射鏡の基体金属を銅、鉄あるいはこれらの合金によって構成することで、機械的強度を高めて耐破損性を向上できる。第ニに反射鏡内部にシリカを主成分とする中間層を設けることで可視光反射層を反射鏡の基体金属に密着することができる。従って、反射特性のあまり高くない銅、鉄あるいはこれらの合金を基体金属として採用しても十分な可視光を放射することが可能となり、プロジェクター装置に好適に採用することができる。第三に、反射鏡内部に封止部冷却手段を設けることで反射鏡内部、特に封止部を効果的に冷却することができる。
ることなく設けることができ、結果として可視光反射層の同様に設けることができる。
【００２４】
図３は本発明の光源装置に使われる高圧放電ランプの全体構成を示す。
放電ランプ１０は、石英ガラスからなる放電容器によって形成された大略球形の発光部１１を有し、この発光部１１内には、陽極２と陰極３が互いに対向するよう配置している。また、発光部１１の両端部から伸びるよう各々封止部１２が形成され、これらの封止部１２には、通常モリブデンよりなる導電用金属箔４が、例えばシュリンクシールにより気密に埋設されている。金属箔４の一端は陽極２あるいは陰極３が接合しており、金属箔４の他端は外部リード１６が接合している。
陰極３の先端にはコイル３ａが巻きつけられる。このコイル３aはタングステンからなり、強固に巻き付けるかあるいは溶着させて構成する。コイル３ａは点灯始動時は表面の凹凸効果により始動の種（始動開始位置）として機能するとともに、点灯後は表面の凹凸効果と熱容量によって放熱機能を担っている。
【００２５】
発光部１１には、水銀と、希ガスと、ハロゲンガスが封入されている。
水銀は、必要な可視光波長、例えば、波長３６０〜７８０ｎｍという放射光を得るためのもので、０．２５ｍｇ／ｍｍ３以上封入されている。この封入量は、温度条件によっても異なるが、点灯時１５０気圧以上で極めて高い蒸気圧となる。また、水銀をより多く封入することで点灯時の水銀蒸気圧２００気圧以上、３００気圧以上という高い水銀蒸気圧の放電ランプを作ることができ、水銀蒸気圧が高くなるほどプロジェクター装置に適した光源を実現することができる。
希ガスは、例えば、アルゴンガスが約１３ｋＰａ封入され、点灯始動性を改善する。
ハロゲンは、沃素、臭素、塩素などが水銀その他の金属との化合物の形態で封入する。ハロゲンの封入量は、例えば、１０−６〜１０−２μｍｏｌ／ｍｍ３の範囲から選択できるものであって、その機能はハロゲンサイクルを利用した長寿命化であるが、本発明の放電ランプのように極めて小型で高い内圧を有するものは、このようなハロゲンを封入することは放電容器の破損、失透の防止という作用があると考えられる。
【００２６】
このような放電ランプの数値例を示すと、例えば、発光部の外径はφ６．０〜１５．０ｍｍの範囲から選ばれて例えば９．５ｍｍ、電極間距離は０．５〜２．０ｍｍの範囲から選ばれて例えば１．５ｍｍ、発光管内容積は４０〜３００ｍｍ３の範囲から選ばれて例えば７５ｍｍ３である。点灯条件は、例えば、管壁負荷０．８〜２．０Ｗ／ｍｍ2範囲から選ばれて例えば１．５Ｗ／ｍｍ2というものであり、定格電圧８０Ｖ、定格電力２００Ｗである。
また、この放電ランプは、小型化するプロジェクター装置などに内蔵されるものであり、全体構造が極めて小型化される一方で高い光量が要求される。したがって、発光部内の熱的条件は極めて厳しいものとなる。
そして、放電ランプは、プロジェクター装置やオーバーヘッドプロジェクターのようなプレゼンテーション用機器に搭載され、演色性の良い放射光を提供する。
【００２７】
本発明は封止部に対して冷却手段を設けることを特徴としている。放電ランプは熱的に厳しい条件で点灯するからである。また、封止部のうち、特に、金属箔と電極の溶接部を冷却することを特徴とする。この溶接部分が熱により損耗しやすいからである。
【００２８】
また、上記のような封入水銀量の大きい放電ランプ（水銀ランプ）にあっては、放電ランプを消灯させると電極に水銀が集まりやすい特性を有する。電極は金属であり冷えやすいからである。このため、放電ランプは消灯状態では電極に液体状の水銀が付着した状態になりやすい。
一方、放電ランプを点灯始動させる際は、水銀が付着している電極は電子が放出されやすい。従って、放電ランプが直流点灯型の場合は、陽極に水銀が付着するよりも陰極に水銀を付着させたほうが点灯始動が容易であるという利点を有する。
本願発明においては、陰極側封止部に冷却手段を設けた場合は、上記のように点灯中の冷却だけではなく、消灯時の水銀の付着方向を誘導するという意味において効果を有する。
【００２９】
凹面反射鏡２０の数値例を示すと、内容積は１０３〜１０６ｍｍ３の範囲から選択されて、例えば９×１０４ｍｍ３、反射部の基体金属の厚みは、１〜３ｍｍの範囲から選択されて、例えば２ｍｍ、前面開口径はφ１０〜１５０ｍｍの範囲から選択されて、例えば５０ｍｍ、前面開口から頂部先端までの軸方向の長さは１０〜１５０ｍｍの範囲から選択されて、例えば３５ｍｍである。
前面ガラス２４の数値例を示すと、厚さが１〜５ｍｍの範囲から選択されて、例えば３ｍｍである。
【００３０】
上記実施例では直流点灯型の放電ランプについて説明したが、交流点灯型放電ランプにも適用することができる。
放電ランプは、超高圧水銀ランプに限定されず、メタルハライドランプ、キセノンランプ、低圧放電ランプ、無電極放電ランプなどに採用することができる。
【図面の簡単な説明】
【００３１】
【図１】本発明の光源装置を示す。
【図２】本発明の光源装置を示す。
【図３】本発明の光源装置に使う放電ランプを示す。
【符号の説明】
【００３２】
１０  放電ランプ
２０  凹面反射鏡
２１  頂部
２２  反射部
３０  封止部冷却手段
３１  支持部
３２  冷却部
４０  中間層
５０  可視光反射層
【図１】
2006019150.tif 000003
【図２】
2006019150.tif 000004
【図３】
2006019150.tif 000005